(57)【要約】【課題】蛍光ランプ等を用いた照明器具において、器具本体を支持するアームの取付け態様を最小限の部品数で任意に変更可能とする。【解決手段】取付ベース３は取付け対象面に対して固定される台座２０と、この台座２０に固定されるアーム取付台２１と、アーム部材４とからなり、前記台座２０はアーム取付台２１が固定される台座面にビス用通孔２０ｂを有し、前記アーム取付台をビス固定可能とし、前記アーム取付台２１は一側面にアーム部材端部をビス固定可能とするとともに、底面２１Ｂに対し前記台座ビス用通孔２０ｂと対応する位置に雌ネジ孔２１ｅを有するとともに、正面２１Ｃに対し前記台座ビス用通孔２０ｂと対応する位置に雌ネジ孔２１ｇを有し、前記底面２１Ｂを台座面に接触させるように載置する取付態様と、前記正面２１Ｃを台座面に接触させるように載置する取付態様とを任意に選択可能とする。【選択図】  図１６
2004178873.tif 000002
【特許請求の範囲】
【請求項１】
照明器具本体を支持するアームの取付け態様を任意に変更可能としたアーム支持構造であって、
取付け対象面に対して固定される台座と、この台座に載置されビス固定されるブロック状のアーム取付台と、一端が前記アーム取付台に連結されるとともに、他端が器具本体に連結されるアーム部材とからなり、
前記台座はアーム取付台が固定される台座面の所定位置にビス用通孔を有し、裏面側から螺入したビスにより前記アーム取付台をビス固定可能とし、
前記アーム取付台は一側面にアーム部材端部をビス固定可能とするとともに、底面に対し前記台座ビス用通孔と対応する位置に雌ネジ孔を有するとともに、前記アーム部材方向と直交する正面又は背面に対し前記台座ビス用通孔と対応する位置に雌ネジ孔を有し、前記底面を台座面に接触させるように載置する取付態様と、前記正面又は背面側を台座面に接触させるように載置する取付態様とを任意に選択可能としたことを特徴とする照明器具用アームの支持構造。
【請求項２】
前記取付け対象面が水平面であり、かつ前記アーム取付台の底面を台座面に接触させるように載置する取付態様を選択した場合には、アーム部材を前記アーム取付台から水平方向に突出させ、その先端に器具本体を支持させる請求項１記載の照明器具用アームの支持構造。
【請求項３】
前記取付け対象面が水平面であり、かつ前記アーム取付台の正面又は背面を台座面に接触させるように載置する取付態様を選択した場合には、起立用第２アーム部材を前記アーム取付台から鉛直方向に突出させ、Ｌ字状の継手部材を介して前記アーム部材を水平方向に突出させ、その先端に器具本体を支持させる請求項１記載の照明器具用アームの支持構造。
【請求項４】
前記取付け対象面が水平面であり、かつ前記アーム取付台の正面又は背面を台座面に接触させるように載置する取付態様を選択した場合には、起立用第２アーム部材を前記アーム取付台から鉛直方向に突出させ、Ｔ字状の継手部材を介して両側にそれぞれ前記アーム部材を水平方向に突出させ、その先端に器具本体を支持させる請求項１記載の照明器具用アームの支持構造。
【請求項５】
取付対象面が鉛直面であり、かつ前記アーム取付台の正面又は背面を台座面に接触させるように載置する取付態様を選択した場合には、アーム部材を前記アーム取付台から水平方向に突出させ、その先端に器具本体を支持させる請求項１記載の照明器具用アームの支持構造。
【請求項６】
前記アーム部材は部材長手方向に沿って中空孔を有し、電気ケーブルを前記中空孔に通し配設してある請求項１〜５いずれかに記載の照明器具用アームの支持構造。
【発明の詳細な説明】
【０００１】
【発明の属する技術分野】
本発明は、蛍光ランプ等を用いた照明器具において、器具本体を支持するアームの取付け態様を最小限の部品数で任意に変更可能としたアーム支持構造に関する。
【０００２】
【従来の技術】
例えば、書店での書架照明や店舗照明などを取り付ける場合、設置対象面に対してベース金物をビス固定するとともに、このベース金物にアーム部材の一端を固定し、前記アーム部材の先端部に蛍光ランプ等を収容した器具本体を支持させる構造が採られる。
【０００３】
この際、前記アーム部材の取付態様は施主の趣向や外部条件、照度条件などに応じて種々選択される。たとえば、図１９（Ａ）に示されるように、取付ベース５０から水平方向にアーム部材５１を突出させる取付態様、図１９（Ｂ）に示されるように、取付ベース５２から鉛直方向にアーム５１Ａが起立した後、９０°屈曲して水平方向にアーム部材５１を突出させる取付態様、図１９（Ｃ）に示されるように、取付ベース５２から鉛直方向にアーム５１Ａが起立した後、９０°方向に屈曲するとともに、同軸上に位置する２本のアーム５３，５３を突出させる取付態様、図１９（Ｄ）に示されるように、壁面に対して取付ベース５２を固定し、取付ベース５２から水平方向にアーム５１を突出させる取付態様等などが選択される。
【０００４】
【発明が解決しようとする課題】
しかしながら、従来の場合は、前述した各種のアーム取付態様毎に使用する取付金具が異なり、部品数が多くなるとともに、施工も煩雑になるなどの問題があった。
【０００５】
そこで本発明の主たる課題は、蛍光ランプ等を用いた照明器具において、器具本体を支持するアームの取付け態様を最小限の部品数で任意に変更可能とすることにある。
【０００６】
【課題を解決するための手段】
前記課題を解決するために請求項１に係る本発明として、照明器具本体を支持するアームの取付け態様を任意に変更可能としたアーム支持構造であって、
取付け対象面に対して固定される台座と、この台座に載置されビス固定されるブロック状のアーム取付台と、一端が前記アーム取付台に連結されるとともに、他端が器具本体に連結されるアーム部材とからなり、
前記台座はアーム取付台が固定される台座面の所定位置にビス用通孔を有し、裏面側から螺入したビスにより前記アーム取付台をビス固定可能とし、
前記アーム取付台は一側面にアーム部材端部をビス固定可能とするとともに、底面に対し前記台座ビス用通孔と対応する位置に雌ネジ孔を有するとともに、前記アーム部材方向と直交する正面又は背面に対し前記台座ビス用通孔と対応する位置に雌ネジ孔を有し、前記底面を台座面に接触させるように載置する取付態様と、前記正面又は背面側を台座面に接触させるように載置する取付態様とを任意に選択可能としたことを特徴とする照明器具用アームの支持構造が提供される。
【０００７】
請求項２に係る本発明として、前記取付け対象面が水平面であり、かつ前記アーム取付台の底面を台座面に接触させるように載置する取付態様を選択した場合には、アーム部材を前記アーム取付台から水平方向に突出させ、その先端に器具本体を支持させる請求項１記載の照明器具用アームの支持構造が提供される。
【０００８】
請求項３に係る本発明として、前記取付け対象面が水平面であり、かつ前記アーム取付台の正面又は背面を台座面に接触させるように載置する取付態様を選択した場合には、起立用第２アーム部材を前記アーム取付台から鉛直方向に突出させ、Ｌ字状の継手部材を介して前記アーム部材を水平方向に突出させ、その先端に器具本体を支持させる請求項１記載の照明器具用アームの支持構造が提供される。
【０００９】
請求項４に係る本発明として、前記取付け対象面が水平面であり、かつ前記アーム取付台の正面又は背面を台座面に接触させるように載置する取付態様を選択した場合には、起立用第２アーム部材を前記アーム取付台から鉛直方向に突出させ、Ｔ字状の継手部材を介して両側にそれぞれ前記アーム部材を水平方向に突出させ、その先端に器具本体を支持させる請求項１記載の照明器具用アームの支持構造が提供される。
【００１０】
請求項５に係る本発明として、取付対象面が鉛直面であり、かつ前記アーム取付台の正面又は背面を台座面に接触させるように載置する取付態様を選択した場合には、アーム部材を前記アーム取付台から水平方向に突出させ、その先端に器具本体を支持させる請求項１記載の照明器具用アームの支持構造が提供される。
【００１１】
請求項６に係る本発明として、前記アーム部材は部材長手方向に沿って中空孔を有し、電気ケーブルを前記中空孔に通し配設してある請求項１〜５いずれかに記載の照明器具用アームの支持構造が提供される。
【００１２】
【発明の実施の形態】
以下、本発明の実施の形態について図面を参照しながら詳述する。
【００１３】
図１は本発明に係る照明器具１の書架への取付け状態を示す側面図、図２は照明器具１の底面図（図１のＩＩ−ＩＩ線矢視図）、図３は中間部断面図、図４は端部断面図である。
【００１４】
図示される照明器具１は、書店や図書館などにおいて縦列方向に並んで配置される書架２，２…の前面部分を照らすために、前記書架２の上面部分に設置される照明器具の例である。従って、前記照明器具１は、図２に示されるように、書架２、２…に沿って縦列的に配置されている。
【００１５】
前記照明器具１は、書架２の上面にビス等によって固定される取付けベース３と、一端が前記取付けベースに連結されたアーム部材４と、このアーム部材４の先端に取り付けられた器具本体５とから構成されている。前記器具本体５は、詳細には図２及び図３に示されるように、蛍光ランプのカバー材となるセード６と、このセード６の両端面に夫々取り付けられた側板１２，１２と、側板１２の内側位置に夫々設けられたソケット７と、ソケット７，７間に着脱自在に取り付けられた直管形蛍光ランプ８と、前記直管形蛍光ランプ８から裏面側に拡散する可視光を表面側に反射させるアルミ反射板９と、前記セード６の開口面部にセード６の長手方向に沿って所定間隔で並列配置された複数のルーバー１０，１０…とから主に構成されている。
【００１６】
前記セード６は、本例ではアルミ押出し型材が用いられている。詳細には図３に示されるように、下面側が開口とされる断面略台形状の部材とされ、両端部にはそれぞれ樹脂製の側板１２、１２が設けられ小口面が封鎖されている。内側上面壁にはソケット支持部６ａが設けられ、前記ソケット７，７がビス等により固定されている。また、前記内側上面壁の中間と内側背面壁とに夫々断面Ｌ字状の係止片６ｂ、６ｃが形成され、これら係止片６ｂ、６ｃに跨って安定器カバー１３が設けられ、その内部に安定器（図示せず）が内設されている。一方、セード６の外側背面壁には対向する係止片６ｄ、６ｅが設けられ、図１に示されるように、アーム部材４のセード６側連結部材１９が前記係止片６ｂ、６ｃに嵌合した状態でビス固定されるようになっている。更に、背面壁の下端には内方側に開口を臨ませて、後述するルーバー支持材１１を揺動自在に軸支するために断面略円形状のポケット溝６ｆが形成されている。
【００１７】
前記器具本体５、５の隣接部位では、通り芯に沿って精度良くセード６，６を縦列配置するために、図５に示されるように、側板１２，１２を連結するジョイントピン１５を設けるようにしているとともに、図４に示されるように、図６に示す連結金具１４を背面壁の係止溝６ｇ部にかつセード６，６間に跨るように嵌入し、ビス孔１４ａ、１４ａからビスを螺入し、隣接するセード６，６間の通り芯を合わせるようにしている。
【００１８】
他方、前記セード６の開口面に設けられるルーバー１０，１０…は、図３及び図７に示されるように、バー状のルーバー支持材１１に対して部材長手方向に所定間隔で取着され、前記ルーバー支持材１１の背面側に形成された断面略円形状の軸部１１ａを前記セード６のポケット溝６ｆに嵌入することにより、前記ルーバー支持材１１が揺動自在に支持され、前記ルーバー群１０，１０…が前記ルーバー支持材１１の軸部１１ａを回転中心として一体的に開閉可能となっている。なお、前記ルーバー１０のルーバー支持材１１に対する取付け構造は、前記ルーバー１０の背面側に逆Ｕ字状の溝を形成するように係止片１０ａを一体的に形成しておき、ルーバー支持材１１のフランジ上端部に嵌入させることにより取着されている。
【００１９】
前記ルーバー１０をセード６の開口面に保持するには、図７に示されるように、前記ルーバー支持材１１の両端部にそれぞれ、該ルーバー支持材１１をガイドとしてスライド可能とされるとともに、外方側に突出する施錠片１６ｄを備えたルーバー止め部材１６を設け、ルーバー１０の閉鎖時に前記ルーバー止め部材１６を外方側にスライドさせ、前記施錠片１６ｄを側板１２に係止させるようにする。
【００２０】
具体的に詳述すると、前記ルーバー止め部材１６は、図８に示されるように、前記ルーバー支持材１１を抱持するスライド支持部１６ａと、水平方向に突出する軸部１６ｂと、この軸部１６ｂから下方側に突出するストッパー片１６ｃと、前記軸部１６ｂから水平方向に突出する施錠片１６ｄとからなる部材で、図４及び図７に示されるように、前記ルーバー支持材１１に対してスライド可能な状態で取り付けられ、ルーバー１０，１０…の閉鎖時に、前記ルーバー止め部材１６を外方側にスライドさせ、前記施錠片１６ｄを側板１２，１２の下側フランジ部１２ａに係止させることにより（図４参照）、前記ルーバー１０をセード６の開口面位置に保持するようにしている。なお、前記ストッパー片１６ｃは、スライド操作時に側板１２の下側フランジ部１２ａの側面に接触することにより、ルーバー支持材１１がこれ以上側板１２の内部に入り込まないように規制するためのものである。
【００２１】
蛍光ランプの交換やセード６内の清掃を行う場合には、前記ルーバー止め部材１６、１６を共に内方側にスライドさせて側板１２に対する係合を解き、図３に示されるように、ルーバー１０，１０…群を前記ルーバー支持材１１の軸支部１１ａを回転中心として揺動させるようにする。
【００２２】
一方、本照明器具１においては、図１に示されるアーム取付態様（以下、第１取付態様という。）の他、図１０〜図１２（以下、第２取付態様〜第４取付態様）に示される各取付態様が最小限の部品数で任意に変更可能となっている。
【００２３】
以下、順に説明すると、
（第１取付態様）
図９に示されるように、取付ベース３は、書架２の上面にビスによって固定される台座２０と、この台座２０にビス固定されるブロック状のアーム取付台２１とからなり、前記アーム取付台２１に対しアーム部材４の一端がビス２７により固定されている。なお、前記アーム部材４は、本例では図１３（Ａ）に示されるように、前記アーム取付台２１に対する固定のために一方端側に複数個の、図示例では４個のビス通孔４ａ、４ａ…が形成されるとともに、他端側にセード側連結部材１９に対する固定のために複数個の、図示例では３個のビス通孔４ｂ、４ｂが形成され、断面形状は図１３（Ｂ）に示されるように、縦メガネ形状を成し、上下段に夫々部材長手方向に沿った中空孔４ｃ、４ｃが形成されている。この中空孔４ｃ、４ｃの内の一方は電気ケーブルを挿通状態で配設するために使用されるものである。
【００２４】
前記台座２０は、詳細には図１４に示されるように、平面視で略菱形形状を成すとともに、四隅にそれぞれビス孔２０ａ、２０ａ…が形成されたベース板部２０Ａと、上面側に矩形状に突出形成された台座部２０Ｂとから成る。前記台座部２０Ｂの上面には、裏面側から固定ビスを挿入するために一方の対角位置にビス用通孔２０ｂ、２０ｂが形成されるとともに、他方の対角位置にアーム取付台２１の位置決めを図るためのだぼ突起２０ｃ、２０ｃが形成されている。また、上面の略中央部には電気ケーブルを通すためのケーブル孔２０ｄ、２０ｄが形成されるとともに、起立壁面に同じく電気ケーブルを通すためのケーブル孔２０ｅが形成されている。
【００２５】
前記アーム取付台２１は、詳細には図１５に示されるように、一側面２１Ａに前記アーム部材４を固定するための嵌合凹部２１ａが形成されている。この嵌合凹部２１ａは、底面形状が前記アーム部材４の片側側面形状に合致するように半縦メガネ形状を成し、中間の隆起部２１ｂには、図面左側から順に雌ネジ孔２１ｃ、だぼ突起２１ｄ、雌ネジ孔２１ｃ、だぼ突起２１ｄが形成されている。アーム部材４の固定は、アーム部材４の一端側に形成されたビス通孔４ａ、４ａ…を前記雌ネジ孔２１ｃ…、だぼ突起２１ｄ…位置に合わせた後、押え板２２をあてがい前記雌ネジ孔２１ｃ位置に固定ネジ２３を螺入することにより行われる。
【００２６】
前記アーム取付台２１の底面２１Ｂには、前記台座ビス用通孔２０ｂ、２０ｂと対応する位置に雌ネジ孔２１ｅ、２１ｅが形成されるとともに、だぼ突起２０ｃ、２０ｃに対応する位置にだぼ穴２１ｆ、２１ｆが形成されている。また、アーム取付台２１の前記アーム部材４方向と直交する正面２１Ｃ又は背面２１Ｄに対し、前記台座ビス用通孔２０ｂ、２０ｂと対応する位置に雌ネジ孔２１ｇ、２１ｇが形成されるとともに、だぼ突起２０ｃ、２０ｃに対応する位置にだぼ穴２１ｈ、２１ｈが形成されている。
【００２７】
前記台座２０に対する取付は、同図に示されるように、アーム取付台２１の底面を台座２０の台座面２０Ｂに接触させるように載置し、固定ビス２４，２４を台座２０の裏面側からビス用通孔２０ｂに通し、アーム取付台２１の雌ネジ孔２１ｅ、２１ｅに螺入し、アーム取付台２１を固定するようにする。
【００２８】
（第２取付態様）
次いで、図１０に示されるアーム支持態様とする場合には、図１６に示されるように、前記アーム取付台２１の正面２１Ｃを台座２０の台座面２０Ｂに接触させるように載置し、固定ビス２４，２４を台座２０の裏面側からビス用通孔２０ｂに通し、アーム取付台２１の雌ネジ孔２１ｇ、２１ｇに螺入し、アーム取付台２１を固定するようにする。そして、図１０に示されるように、前記アーム取付台２１に起立用第２アーム部材４Ａを前記アーム取付台２１から鉛直方向に突出させ、Ｌ字状の継手部材２５を介して前記アーム部材４を水平方向に突出させ、その先端に器具本体５を支持させるようにする。前記Ｌ字状継手部材２５は、図１７に示されるように、両端部にそれぞれ前記アーム取付台２１のアーム部材固定構造と同様の固定構造、すなわち底面形状が前記アーム部材４の片側側面形状に合致するように半縦メガネ形状を成し、中間の隆起部２５ｂには、雌ネジ孔２５ｃ…、だぼ突起２５ｄが形成された嵌合凹部２５ａが形成され、押え板２２をあてがい前記雌ネジ孔２５ｃ位置に固定ネジ２３を螺入することによりアーム部材４Ａ、４の固定が成される固定構造を備えた継手部材である。
【００２９】
（第３取付態様）
次いで、図１１に示されるアーム支持態様とする場合には、図１６に示されるように、前記アーム取付台２１の正面２１Ｃを台座２０の台座面２０Ｂに接触させるように載置し、固定ビス２４，２４を台座２０の裏面側からビス用通孔２０ｂに通し、アーム取付台２１の雌ネジ孔２１ｇ、２１ｇに螺入し、アーム取付台２１を固定し、前記台座２０を壁面Ｈにビス固定するとともに、前記アーム取付台２１にアーム部材４を固定するようにする。
【００３０】
（第４取付態様）
例えば、書架が背面合わせで両側に並ぶような場合には、図１２に示されるアーム支持態様が採られる。この場合には、前記第２態様と同様、図１６に示されるように、前記アーム取付台２１の正面２１Ｃを台座２０の台座面２０Ｂに接触させるように載置し、固定ビス２４，２４を台座２０の裏面側からビス用通孔２０ｂに通し、アーム取付台２１の雌ネジ孔２１ｇ、２１ｇに螺入し、アーム取付台２１を固定するようにする。そして、図１２に示されるように、前記アーム取付台２１に起立用第２アーム部材４Ａを前記アーム取付台２１から鉛直方向に突出させ、Ｔ字状の継手部材２６を介して両側にそれぞれ前記アーム部材４を水平方向に突出させ、その先端に器具本体５、５を支持させるようにする。前記Ｔ字状継手部材２６は、図１８に示されるように、３つの仕口端部にそれぞれ前記アーム取付台２１のアーム部材固定構造と同様の固定構造、すなわち底面形状が前記アーム部材４、４Ａの片側側面形状に合致するように半縦メガネ形状を成し、中間の隆起部２６ｂには、雌ネジ孔２６ｃ…、だぼ突起２６ｄが形成された嵌合凹部２６ａが形成され、押え板２２をあてがい前記雌ネジ孔２６ｃ位置に固定ネジ２３を螺入することによりアーム部材４Ａ、４の固定が成される固定構造を備えた継手部材である。
【００３１】
【発明の効果】
以上詳説のとおり本発明によれば、蛍光ランプ等を用いた照明器具において、器具本体を支持するアームの取付け態様を最小限の部品数で任意に変更可能とすることができるようになる。
【図面の簡単な説明】
【図１】本発明に係る照明器具１の書架への取付け状態を示す側面図である。
【図２】照明器具１の底面図（図１のＩＩ−ＩＩ線矢視図）である。
【図３】器具本体５の中間部断面図（図２のＩＩＩ−ＩＩＩ線矢視図）である。
【図４】器具本体５の端部断面図（図２のＩＶ−ＩＶ線矢視図）である。
【図５】セード隣接部を示す腰部拡大図である。
【図６】連結金具１４を示す、（Ａ）は正面図、（Ｂ）は側面図である。
【図７】ルーバー１０，１０…の支持構造を示す平面図である。
【図８】ルーバー止め部材１６を示す、（Ａ）は平面図、（Ｂ）は側面図、（Ｃ）は正面図である。
【図９】アームの第１取付態様に係る取付ベース３の要部拡大図である。
【図１０】アームの第２取付態様に係る照明器具の側面図である。
【図１１】アームの第３取付態様に係る照明器具の側面図である。
【図１２】アームの第４取付態様に係る照明器具の側面図である。
【図１３】アーム部材４を示す、（Ａ）は側面図、（Ｂ）は断面図である。
【図１４】台座２０を示す、（Ａ）は側面図、（Ｂ）は平面図、（Ｃ）は正面図である。
【図１５】アーム取付台２１を示す、（Ａ）は側面図、（Ｂ）は正面図、（Ｃ）は背面図、（Ｄ）は底面図、（Ｅ）は（Ａ）のＥ−Ｅ断面図である。
【図１６】アームの第２取付態様に係るアーム取付台２１の固定状態を示す、（Ａ）は平面図、（Ｂ）は側面図、（Ｃ）は底面図である。
【図１７】Ｌ字状継手部材２５を示す、（Ａ）は一部破断正面図、（Ｂ）は側面図である。
【図１８】Ｔ字状継手部材２６を示す、（Ａ）は一部破断正面図、（Ｂ）は側面図である。
【図１９】（Ａ）〜（Ｄ）は従来におけるアーム取付態様を示す図である。
【符号の説明】
１…照明器具、２…書架、３…取付けベース、４…アーム部材、５…器具本体、６…セード、６ｆ…ポケット溝、７…ソケット、８…直管形蛍光ランプ、９…反射板、１０…ルーバー、１１…ルーバー支持材、１１ａ…軸支部、２０…台座、２０ｂ…ビス用通孔、２１…アーム取付台、２１Ａ…側面、２１Ｂ…底面、２１Ｃ…正面、２１Ｄ…背面、２１ｅ・２１ｇ…雌ネジ孔、２５…Ｌ字状継手部材、２６…Ｔ字状継手部材
【図１】
2004178873.tif 000003
【図２】
2004178873.tif 000004
【図３】
2004178873.tif 000005
【図４】
2004178873.tif 000006
【図５】
2004178873.tif 000007
【図６】
2004178873.tif 000008
【図７】
2004178873.tif 000009
【図８】
2004178873.tif 000010
【図９】
2004178873.tif 000011
【図１０】
2004178873.tif 000012
【図１１】
2004178873.tif 000013
【図１２】
2004178873.tif 000014
【図１３】
2004178873.tif 000015
【図１４】
2004178873.tif 000016
【図１５】
2004178873.tif 000017
【図１６】
2004178873.tif 000018
【図１７】
2004178873.tif 000019
【図１８】
2004178873.tif 000020
【図１９】
2004178873.tif 000021